(57)【要約】【課題】  経年変化に起因するカード錠の作動不良を防止し、安全性を向上させたリセット機構を提供する。【解決手段】  解錠時鍵カード４に近接する側の可動ブロック１４の端部に、カードスリット５に挿入された鍵カード４の側端縁と干渉可能な係合突起２８を設け、一方、カードスリット５に挿入された鍵カードの側端縁の、解錠時上記係合突起と干渉する部分に係合切欠２９を形成すると共に、この係合切欠２９に隣接して、鍵カード４の挿入方向における先端側に傾斜端縁３１を形成し、解錠時係合突起が鍵カードの側端縁に干渉する方向に移動し、反対方向に付勢された可動ブロックの戻りが円滑でない場合、鍵カードをカードスリットから抜くとき傾斜端縁３１と係合突起２８との間に生じる楔作用により、係合突起２８を介して可動ブロック１４を強制的に待機位置に戻す。【選択図】図６
2008082143.tif 000002
【特許請求の範囲】
【請求項１】
基枠に固定され、解錠操作時鍵カードが挿入されるカードスリットと、基枠に固定された固定ブロックと、この固定ブロックに対し、カードスリットに挿入された鍵カードの幅方向に相対移動可能に案内され、施錠時タンブラーを介してこの固定ブロックに係止されると共に、常時施錠位置方向に付勢される可動ブロックとを有し、カードスリットに鍵カードが挿入されたとき、タンブラーによる係止が解かれて固定ブロックに対して可動ブロックが自由になるカード錠において、解錠時鍵カードに近接する側の可動ブロックの端部に、カードスリットに挿入された鍵カードの側端縁と干渉可能な係合突起を設け、一方、カードスリットに挿入された鍵カードの側端縁の、解錠時上記係合突起と干渉する部分に係合切欠を形成すると共に、この係合切欠に隣接して、鍵カードの挿入方向における先端側に傾斜端縁を形成したことを特徴とするカード錠のリセット機構。
【発明の詳細な説明】
【技術分野】
【０００１】  この発明は、カード錠のリセット機構（以下単にリセット機構という）に係り、特に、経年変化に起因するカード錠の作動不良を防止し、安全性を向上させたリセット機構に関する。
【背景技術】
【０００２】  本出願人は、先に、後記特許文献１を以て、新規な複合カード錠を提案し、この複合カード錠は現在実用されている。【０００３】  この複合カード錠は、図１乃至図３に示すように、室内側に開口し、係合孔１、１を開口させた錠カード２を収納する内側カードスリット３、および、室外側に開口し、係合孔１、１を開口させた鍵カード４が挿入される外側カードスリット５をほぼ同一平面上に連設した鎖錠箱６と、この鎖錠箱６内に固設され、上記カードスリットにほぼ垂直なタンブラースリット７の複数を鍵カード４の幅方向に連設した固定ブロック８と、全体の形状が略Ｔ字形の板状体、そのＴ字の横バーが上記内側および外側カードスリット３、５に跨るように各タンブラースリット７に収納され、横バーのカードスリット側の端縁にＴ字の縦バーに関して対称的に突設された係合孔検知用の一対の検知突起９、９が、カードスリットに挿入されたカードに押圧される方向に付勢されると共に、カードの厚さ方向に少なくともカードの厚み分移動できるように、かつ揺動できるように案内された揺動タンブラー１１の複数と、上記固定ブロック８に関してカードスリットとは反対側に配設され、鍵カード４の幅方向に摺動可能に案内されると共に、施錠状態において各揺動タンプラー１１の縦バーの先端の揺動を許容する逃げスリツト１２、１２、および、揺動タンブラーの縦バーがカードスリツトにほぼ垂直な直立状態にあるとき、固定ブロック外に突出するその揺動端が係入する貫通溝１３、１３を逃げスリツト１２に直交するように形成した可動ブロック１４と、上記固定および可動ブロック８、１４の摺接面を揺動タンブラーの外側においてカードの厚さ方向に貫通し、該貫通方向に移動可能に案内されると共に、鍵カードに押圧される方向に付勢された少なくとも１組のタンブラーピン１５およびドライバーピン１６とを有し、タンブラーピン１５の先端が当接する鍵カード４の部位におけるき孔の有無に応じて、タンブラーピンとドライバーピンとの接合面が固定およぴ可動ブロック８、１４の摺接面に整合するようにタンブラーピン１５の長さを設定したことを特徴とするものである。【０００４】  また、本出願人は、後記特許文献２を以て、新規な磁石カード錠を提案し、この磁石カード錠も現在実用さされている。【０００５】  この磁石カード錠は、図４及び図５に示すように、複数の第１ピン孔１７、１７を有する固定の基準部材１８及び複数の第２ピン孔１９、１９を有する移動部材２１を対向させて、かつ相互に摺動可能に設け、基準部材１８に対する移動部材２１の相対的移動を拘束し又は許容するために、対応する第１ピン孔１７及び第２ピン孔１９に跨って保持されるか、或いは一方のピン孔に保持される任意数の磁性ピン２２を備え、移動部材２１を拘束させた際の磁性ピンを磁力により作動させてシアラインに合わせるようにするための所要の着磁部を備えた合カードを、基準部材１８又は移動部材２１に近接させて差し込めるようにしたカード挿入通路２３を設けてなり、合カードによって基準部材１８から自由になった移動部材２１により錠機構を制御するようにした磁石カード錠において、移動部材２１をカード挿入方向と直角方向に移動できるように案内する���共に、基枠２４と移動部材２１の前方部との間に弾装された戻しばね２５の弾力により移動部材２１を施錠位置方向に付勢し、一方、基枠２４におけるカード挿入通路の後方に、平面形がＬ字形で、一端を挿入される合カードの前端に対向させ、他端を移動部材の後方部に対向させるようにした伝達レバー２６を回動可能に枢着し、伝達レバー２６の他端と移動部材２１の後方部との間に移動部材の戻しばねよりも弾力が大きい押しばねを弾装したことを特徴とするものである。
【特許文献１】  特公平０４−０２６３８８号公報
【特許文献２】  特開平０７−２９３０６６号公報
【発明の開示】
【発明が解決しようとする課題】
【０００６】  上記のように構成されたカード錠は、何れも、すなわち、特許文献１に記載されたものも、或いは特許文献２に記載されたものも、鍵カードをカードスリット（カード挿入通路）に挿入することにより、固定ブロック（基準部材）と可動ブロック（移動部材）とを相互に固定していたタンブラーを動かし、可動ブロック（移動部材）を固定ブロック（基準部材）から自由にする。【０００７】  そして、特許文献１に記載されたカード錠は例えばドアハンドルに連動する図示しない解除部材により、或いは、特許文献１に記載されたカード錠はカードスリットに挿入された合カードを解錠後更に奥に挿入することにより、可動ブロック（移動部材）を鍵カードの挿入方向に対し直角方向に動かし、この動きを利用して例えばデッドボルト等の錠止機構を制御する。【０００８】  しかして、施解錠後鍵カードをカードスリットから抜くことにより、可動ブロック（移動部材）をばねによって待機位置に戻すこととするが、長期間の使用により、可動ブロック（移動部材）とその案内部材との間に塵埃等が付着すると可動ブロック（移動部材）の案内が円滑でなくなり、場合によっては鍵カードを抜いても可動ブロック（移動部材）が施錠位置に戻らなくなる。【０００９】  この場合、カード錠は常時解錠状態となり、カード錠としての機能を失うから、防犯上甚だ危険な状態になる、という不都合が生じる。【００１０】  そこで、この発明は、上記した不都合を解消し、鍵カードをカードスリットから抜くことにより、可動ブロック（移動部材）を強制的に待機位置、或いは施錠位置に戻すことができるリセット機構を提供することを目的としている。
【課題を解決するための手段】
【００１１】  上記の目的を達成するため、請求項１に記載の発明は、基枠に固定され、解錠操作時鍵カードが挿入されるカードスリットと、基枠に固定された固定ブロックと、この固定ブロックに対し、カードスリットに挿入された鍵カードの幅方向に相対移動可能に案内され、施錠時タンブラーを介してこの固定ブロックに係止されると共に、常時施錠位置方向に付勢される可動ブロックとを有し、カードスリットに鍵カードが挿入されたとき、タンブラーによる係止が解かれて固定ブロックに対して可動ブロックが自由になるカード錠において、解錠時鍵カードに近接する側の可動ブロックの端部に、カードスリットに挿入された鍵カードの側端縁と干渉可能な係合突起を設け、一方、カードスリットに挿入された鍵カードの側端縁の、解錠時上記係合突起と干渉する部分に係合切欠を形成すると共に、この係合切欠に隣接して、鍵カードの挿入方向における先端側に傾斜端縁を形成したことを特徴とする。
【発明の効果】
【００１２】  上記のように構成されたこの発明によるリセット機構は、解錠時、すなわち鍵カードがカードスリットに所定の長さ挿入されたとき、可動ブロックに設けられた係合突起が鍵カードと干渉せずにその係合切欠に係入するので、カード錠の機能に何等悪影響を及ぼさない。【００１３】  一方、例えば上記特許文献１に記載されたカード錠においては鍵カードをカードスリットから抜いた後図示しない機構によって可動ブロックを自由にしたとき、或いは、特許文献２に記載のカード錠においては鍵カードを抜いて自動的に可動ブロックが解放されたとき、その付勢力によっても可動ブロックが施錠位置に戻らないときでも、鍵カードを抜くと、係合切欠に連設された傾斜端縁が係合突起と係合し、両者の間に生じる楔作用により、係合突起を介して可動ブロックを強制的に施錠位置に戻すことができる、という所期の効果を奏する。
【発明を実施するための最良の形態】
【００１４】  解錠時鍵カードに近接する側の可動ブロックの端部に、カードスリットに挿入された鍵カードの側端縁と干渉可能な係合突起を設け、一方、カードスリットに挿入された鍵カードの側端縁の、解錠時上記係合突起と干渉する部分に係合切欠を形成すると共に、この係合切欠に隣接して、鍵カードの挿入方向における先端側に傾斜端縁を形成する、という簡単な構成で、確実に作用するリセット機構を構成することができた。
【実施例１】
【００１５】  以下、図６乃至図８を参照してこの発明の一実施例を説明する。
図６乃至図８はこの発明によるリセット機構を説明するための線図で、前記特許文献１に記載の揺動タンブラーを用いたカード錠の構成を想定している。【００１６】  すなわち、これらの図において符号４は鍵カードを、符号５はカードスリット（特許文献１のカード錠においては外側カードスリット）を、また、符号１４は可動ブロックを夫々示す。【００１７】  なお、鍵カード４は下方からカードスリット５に挿入するものとし、また、上記可動ブロック１４は、図示しないばね部材により、右方に付勢されている。【００１８】  特許文献１及び２に記載されたカード錠において、また、他の構造のカード錠においても、通常カードスリット５及び可動ブロック１４は紙面方向に重合して配設されており、その作動原理上可動ブロック１４は紙面方向においてカードスリット５の下方にある。【００１９】  そして、解錠時鍵カード４に近接する側の可動ブロック１４の端部（図では右側の端部）に紙面方向において手前側に突出する係合突起２８が設けられている。【００２０】  これに対応して、カードスリット５に挿入された鍵カード４の側端縁の、解錠時上記係合突起２８と干渉する部分に係合切欠２９（図６及び図８参照）が形成されている。【００２１】  また、この係合切欠２９に隣接して、鍵カード４の挿入方向における先端側、すなわち、図において上方に傾斜端縁３１（図６及び図７参照）が形成されている。【００２２】  上記のように構成されたこの発明の一実施例によるリセット機構は、鍵カード４を下方からカードスリット５に挿入し、これを上昇させると、カード錠が解錠状態になることは前記した通りで、特許文献１に記載のカード錠は図６に示すように係合突起２８と係合切欠２９とが上下方向において整合する。【００２３】  この場合、例えばドアハンドルに連動して作動する図示しない機構により、可動ブロック１４を左方に移動させ（図７参照）、この可動ブロック１４の動きを利用して錠止機構を制御することは前記した通りである。【００２４】  一方、特許文献２に記載されたカード錠においては、係合切欠２９が図６に示すよりも下方にあるときから可動ブロック１４が自由になるので、鍵カード４の上昇に伴い、傾向突起２８が傾斜端縁３１に沿うようにして相対的に下降し、図７に示す解錠状態となる。【００２５】  何れのカード錠においても、解錠後鍵カード４を抜くと、傾斜端縁３１と係合突起２８との間に生じる楔作用により、図８に示すように、係合突起２８は強制的に右方に移動させられ、このようにして可動ブロック１４の案内が円滑でなくても強制的に可動ブロック１４のリセットがなされる。
【実施例２】
【００２６】  図６乃至図８に示す実施例では、係合突起２８が鍵カード４の下方から上面に突出するので、鍵カードの側端縁に大きな切欠ができて見栄えが悪い。【００２７】  この場合には、係合突起２８が鍵カード４を突き抜けないようにその紙面方向の位置を定めれば、鍵カードに切欠ができず側端縁に形成された窪みとなるので、見栄えが良くなる。
【図面の簡単な説明】
【００２８】
【図１】  特許文献１に記載の発明によるカード錠の構成部材を展開して示す外観斜視図。
【図２】  特許文献１に記載の発明によるカード錠の断面図で、合カードがカードスリットに挿入された場合を示す。
【図３】  特許文献１に記載の発明によるカード錠の断面図で、異カードがカードスリットに挿入された場合を示す。
【図４】  特許文献２に記載の発明によるカード錠の線図的平面図。
【図５】  その断面図。
【図６】  この発明によるリセット機構の一実施例を示す線図的要部平面図で、鍵カードが解錠位置に迄挿入された状態を示す。
【図７】  この発明によるリセット機構の一実施例を示す線図的要部平面図で、係合突起が係合切欠と係合し、カード錠が解錠された状態を示す。
【図８】  この発明によるリセット機構の一実施例を示す線図的要部平面図で、鍵カードが抜かれカード錠が強制的にリセットされた状態を示す。
【符号の説明】
【００２９】  ４  鍵カード
５  カードスリット
１４  可動ブロック
２８  係合突起
２９  係合切欠
３１  傾斜端縁
【図１】
2008082143.tif 000003
【図２】
2008082143.tif 000004
【図３】
2008082143.tif 000005
【図４】
2008082143.tif 000006
【図５】
2008082143.tif 000007
【図６】
2008082143.tif 000008
【図７】
2008082143.tif 000009
【図８】
2008082143.tif 000010